(57)【要約】      （修正有）【課題】構造計算書を離れて適切に選定された強度の支柱を基準として、その強度以上の負荷が支柱に発生しない構造を実現し、併せて安全を確保するワイヤ接続器を提供する。【解決手段】支柱強度を適切に選定して設置する。支柱２、３、４、５の巻上げワイヤ１９、２０、２１、２２の先端のダブルシーブ滑車２８、２９、３０、３１とシングルシーブ滑車３２、３３、３４、３５をネット巻上げワイヤ２７によって接続器３６を介し接続する。所定の張力になった時、分離する機構を持つ接続器３６が分離し、ネット１全体が降下する。降下による危険防止としてシングルシーブ滑車３２、３３、３４、３５とネット１が所要の位置の高さに保持される様、対応する両滑車を所定の長さの保持ワイヤ３７、３８、３９、４０で接続する。【選択図】図３
2012095986.tif 000002
【特許請求の範囲】
【請求項１】
野球、ソフトボールの打球のグランド外への飛び出しを防止する為のウインチ昇降式天井ネットを設置する方式に関するものである。支柱に設置したウインチに巻上げワイヤを取り付け、他端を支柱頂部に設けた巻上げ用滑車に通す。巻上げワイヤの先端にはダブルシーブ滑車を設け、これに対応するネット端にシングルシーブ滑車を設ける。ダブルシーブ滑車の一方のシーブ側にネット張上げワイヤを通した後、それに対応するシングルシーブ滑車に通し、再びダブルシーブ滑車の他方のシーブ側に通す。
このネット張上げワイヤを隣接の巻上げワイヤのダブルシーブ滑車と対応するシングルシーブ滑車に同様の手順を適用する。順次、全てのダブルシーブ滑車とシングルシーブ滑車にも適用する。全ての巻上げワイヤを所要の位置まで巻上げた状態で、ネットが所要形状に開帳する様に両滑車に通したネット張上げワイヤを所用の長さに調整し、輪になるように連結器を介して接続する。この連結器はワイヤに所定の張力が発生した時、分離する機能を有する。風力によってネット張上げワイヤの張力が所定の値を超えた時、連結器が分離し、ネット張上げワイヤが開放され、ネット全体が巻上げワイヤから離れ降下する事を特長とする事。
【請求項２】
ネットとシングルシーブ滑車が降下したとき、選手に危険がない高さに保持される様に、巻上げワイヤの先端のダブルシーブ滑車部分と対応するネットのシングルシーブ滑車部分を所要の長さのロープで接続する事を特長とする事。
【発明の詳細な説明】
【技術分野】
【０００１】本発明は野球、ソフトボールの打者の打球が場外の人や物に対する危険を回避する為に支柱、ネット、昇降ウインチ等からなるホームベース域に設けられた天井ネットのネット降下に関するものである。
【背景技術】
【０００２】天井ネットは特に高等学校の硬式野球の練習時にバッターボックスの打者の打球がホームベースの左右や後方に高く飛んで場外の人や家、自動車、物に危険を与えることを防ぐのに有効な方法で非常に多くの場所で用いられている。【０００３】過去に設置された天井ネットは校庭や練習場の境界に設置された既設の防球ネットの支柱を利用して新にネットを取り付けたものも非常に多い。更に、これらの既設の防球ネットは明らかに風速を考慮に入れていないものが数多く使用されている。【０００４】今日では、安全が非常に重要視される様になり、構造計算書に基づく設計が求められるようになった。その結果、地方区分風速、強風注意報風速、暴風警報風速を基準値として構造計算書が作成される場合が多い。これらより算出される支柱の強度は過去に設置され、現在まで使用され続けている大多数の天井ネット支柱の強度の数倍となる場合も多い。【０００５】この強度を満たす構造の場合、当然費用も莫大になる。特に公立の学校の場合は予算が限られており、ボールは毎日の様に飛び出しているが予算が無いという事になる。
この状況を打破する方法がなかった。
【発明の開示】
【発明が解決しようとしている課題】
【０００６】構造計算書を離れて適切に選定された強度の支柱を基準として、その強度以上の負荷が支柱に発生しない構造を実現する事、併せて安全を確保する事。
【課題を解決する為の手段】
【０００７】ネット巻上げワイヤとネットとの間に新たなワイヤ、滑車を設け、所定の張力に達した時、分離する接続器により構成し、風力よりその張力に達したら接続器が分離し、ネット全体を同時に降下させる。併せて危険を生じさせない高さでネットを保持し安全を確保する。
【発明の効果】
【０００８】設定した風力によってネット全体を降下させる方法の為、支柱の選択の巾が広がり、しかも支柱強度を超えない構造が実現できる。又、あらゆる方向からの風に対応して確実にネットを安全に下ろす事が出来る。現在の構造計算に比べて安いコストで設置が出来、予算の少ない学校にも設置の可能性が広がる。
【発明を実施する為の最良の形態】
【実施例１】
【０００９】所要のネット１を張上げる為に所定の位置に適切に選択された支柱２、３、４、５を適切に設置する。支柱２、３、４、５の頂部には所要の強度のジョイントビーム６、７、８が設置されている。支柱２、３、４、５間には所要の強度を持つブレスワイヤ９、１０、１１、１２、１３、１４が設置されている。各支柱の下部にはウインチ１５、１６、１７、１８が設置され、頂部には巻上げ用ワイヤ滑車２３、２４、２５、２６が設置され、後者を通して前者に巻上げワイヤ１９、２０、２１、２２が取り付けられている。各巻上げワイヤ１９、２０、２１、２２の先端にはダブルシーブ滑車２８、２９、３０、３１が設けられ、ネット１のこれらに対応する端にはシングルシーブ滑車３２、３３、３４、３５が設けられている。巻上げワイヤ１９、２０、２１、２２はウインチ１５、１６、１７、１８を巻戻した時、巻上げワイヤ用滑車２３、２４、２５、２６が地上に到達できる所定の長さで設置されている。ネット張上げワイヤ２７を支柱２のダブルシーブ滑車２８の一方のシーブ側に通した後、シングルシーブ滑車３２に通し、前述のダブルシーブ滑車２８の他方のシーブ側に通す。次に支柱３のダブルシーブ滑車２９とシングルシーブ滑車３３に同様の手順を施し、ダブルシーブ滑車３０とシングルシーブ滑車３４、ダブルシーブ滑車３１とシングルシーブ滑車３５にも適用する。次にウインチ１５、１６、１７、１８で所要の位置まで巻き上げワイヤ１９、２０、２１、２２を巻上げ、この状態でネット巻上げワイヤ２７を所要の張力で張り、ネット１を所要の形状になるように張上げる。この状態を保持する様、ワイヤ接続器３６を取り付ける。【００１０】接続器３６は所定の張力により分離する機能を有している。想定以上の強風の場合接続器３６が分離し、ネット張上げワイヤ２７が施緩してネット１全体が降下する。これにより支柱の負荷は殆どが軽減される。【００１１】この時、下に居る選手に危害を及ぼさない所要の高さにネット１が保持されるようにダブルシーブ滑車２８部分とシングルシーブ滑車３２部分、ダブルシーブ滑車２９部分とシングルシーブ滑車３３部分、ダブルシーブ滑車３０部分とシングルシーブ滑車３４部分、ダブルシーブ滑車３１部分とシングルシーブ滑車３５部分を結ぶ所要の強さと長さのロープを設ける。接続器３６は分離後、前述の各々の滑車を滑らかに通過出来る関係となっている。【００１２】支柱に側面ネットが必要な場合、側面ネットの上端とネット１の側端を接続すれば適用できる。支柱が４本以上の場合も適用できる。【００１３】各ジョイントビームと各ブレスワイヤに所要の強度を持たせた構造を考慮に入れれば支柱２５のグランド側への引っ張りの力はネット引張り力より小さくなりより更に設計が安全側となり設計の巾が広がる。
【図面の簡単な説明】
【００１３】
【図１】支柱、ジョイントビーム、ブレスワイヤのみの図である。
【図２】平面図である。
【図３】構成部品の相関図である。
【符号の説明】１                                ネット
２、３、４、５                    支柱
６、７、８                        ジョイントビーム
９、１０、１１、１２、１３、１４  ブレスワイヤ
１５、１６、１７、１８            ウインチ
１９、２０、２１、２２            巻上げワイヤ
２３、２４、２６、２６            巻上げワイヤ用滑車
２７                              ネット張上げワイヤ
２８、２９、３０、３１            ダブルシーブ滑車
３２、３３、３４、３５            シングルシーブ滑車
３６                              接続器
３７、３８、３９、４０            保持ワイヤ
【図１】
2012095986.tif 000003
【図２】
2012095986.tif 000004
【図３】
2012095986.tif 000005